(57)【要約】【課題】利用率を向上させ得る表示システムを提供する。【解決手段】所定の設置場所に設置される表示装置１１と、表示装置１１にコンテンツＣを表示させる制御装置１６と、コンテンツＣの公募に対する応募コンテンツＣ１を制御装置１６に送信する応募用端末１２と、応募コンテンツＣ１の応募者への支払についての支払データＤｖを制御装置１６に送信する携帯電話１３とを備え、制御装置１６は、応募用端末１２から送信された応募コンテンツＣ１を表示装置１１に表示させると共に、支払データＤｖが送信されたときに支払が発生した旨を示す連絡メールＭを応募コンテンツＣ１の送信元の応募用端末１２に送信する。【選択図】図１
2006178576.tif 000002
【特許請求の範囲】
【請求項１】
所定の設置場所に設置される表示装置と、前記表示装置にコンテンツを表示させる制御装置とを備えた表示システムであって、
前記コンテンツの公募に対する応募コンテンツを前記制御装置に送信する応募用端末と、前記応募コンテンツの応募者への支払についての支払情報を前記制御装置に送信する視聴者用端末とを備え、
前記制御装置は、前記応募用端末から送信された前記応募コンテンツを前記表示装置に表示させると共に、前記支払情報が送信されたときに前記支払が発生した旨を示す連絡情報を前記応募コンテンツの送信元の前記応募用端末に送信する表示システム。
【請求項２】
前記制御装置は、前記支払に対する特典としての特典情報を前記支払情報の送信元の前記視聴者用端末に送信する請求項１記載の表示システム。
【請求項３】
前記制御装置は、前記視聴者用端末から送信された視聴者に関する視聴者情報を前記応募コンテンツの送信元の前記応募用端末に送信する請求項１または２記載の表示システム。
【請求項４】
前記制御装置は、広告用コンテンツを前記表示装置に表示させる請求項１から３のいずれかに記載の表示システム。
【請求項５】
所定の設置場所に設置された表示装置にコンテンツを表示させる表示方法であって、
公募に対する応募コンテンツが応募用端末から送信されたときに当該応募コンテンツを前記表示装置に表示させ、前記応募コンテンツの応募者への支払についての支払情報が視聴者用端末から送信されたときに当該支払が発生した旨を示す連絡情報を当該応募コンテンツの送信元の前記応募用端末に送信する表示方法。
【発明の詳細な説明】
【技術分野】
【０００１】
本発明は、所定の設置場所に設置された表示装置にコンテンツを表示させる表示システムおよび表示方法に関するものである。
【背景技術】
【０００２】
この種のシステムとして、特開２００２−４１５３５号公報に開示された広告配信システムが知られている。この広告配信システムは、センター装置、広告主装置およびユーザ端末を備えて構成され、各装置および端末が、ネットワークで接続されている。この広告配信システムでは、例えば、電車内等に掲示されていた広告等を再度見たいと希望するユーザーが、ユーザ端末を用いてその広告についてのページ記述言語文書の要求をセンター装置に送信したときに、センター装置または広告主装置がそのページ記述言語文書をユーザ端末に送信する。これにより、希望する広告の画像がユーザ端末に表示される。
【特許文献１】特開２００２−４１５３５号公報（第４−６頁、第１図）
【発明の開示】
【発明が解決しようとする課題】
【０００３】
ところが、この広告配信システムには、以下の問題点がある。すなわち、この広告配信システムでは、単に要求されたページ記述言語文書をユーザ端末に送信する機能しか有していない。また、送信するページ記述言語文書が広告用に限定されている。さらに、この広告配信システムでは、一度見た広告を再度見るような利用形態のみを想定している。したがって、この広告配信システムには、利用者が少数に限定されて利用率が低いという問題点がある。このため、この広告配信システムでは、その広告配信のサービスをビジネスとして成立させるのが困難となっている。
【０００４】
本発明は、かかる問題点に鑑みてなされたものであり、利用率を向上させ得る表示システムおよび表示方法を提供することを主目的とする。
【課題を解決するための手段】
【０００５】
上記目的を達成すべく本発明に係る表示システムは、所定の設置場所に設置される表示装置と、前記表示装置にコンテンツを表示させる制御装置とを備えた表示システムであって、前記コンテンツの公募に対する応募コンテンツを前記制御装置に送信する応募用端末と、前記応募コンテンツの応募者への支払についての支払情報を前記制御装置に送信する視聴者用端末とを備え、前記制御装置は、前記応募用端末から送信された応募コンテンツを前記表示装置に表示させると共に、前記支払情報が送信されたときに前記支払が発生した旨を示す連絡情報を前記応募コンテンツの送信元の前記応募用端末に送信する。
【０００６】
また、本発明に係る表示方法は、所定の設置場所に設置された表示装置にコンテンツを表示させる表示方法であって、公募に対する応募コンテンツが応募用端末から送信されたときに当該応募コンテンツを前記表示装置に表示させ、前記応募コンテンツの応募者への支払についての支払情報が視聴者用端末から送信されたときに当該支払が発生した旨を示す連絡情報を当該応募コンテンツの送信元の前記応募用端末に送信する。
【０００７】
この表示システムおよび表示方法では、公募に対する応募コンテンツが応募用端末から送信されたときにその応募コンテンツを表示装置に表示させる。このため、自ら制作した応募コンテンツを容易に公衆の目に触れさせることができる結果、例えば、自らのパフォーマンスや作品などを公衆に認知させたいと希望している数多くのアマチュアミュージシャンやアマチュア芸術家などの需要に対応することができる。この場合、応募者に対して公衆から支援金等を募る場を提供できるため、これらの者が自ら積極的に参加する参加型システムを構築することができる。また、広告コンテンツだけを表示する構成とは異なり、視聴者は、路上ライブや路上パフォーマンスを見る感覚で応募コンテンツを十分に楽しむことができる。したがって、コンテンツ作成費用を低減しつつ、集客効果を十分に高めることができる。また、この表示システムおよび表示方法では、応募コンテンツの応募者への支払についての支払情報が視聴者用端末から送信されたときに支払が発生した旨を示す連絡情報を応募コンテンツの発信元の応募用端末に送信する。このため、支援者は、この表示システムを用いて応募者を容易に支援することができ、応募者は、その支援によって活動意欲を十分に向上することができる。この結果、単に情報を提供するだけのシステムや方法とは異なり、利用者に対して情報以外の価値を付加することができる。したがって、この表示システムおよび表示方法によれば、利用者の利用率を十分に向上させることができる。この結果、この表示システムおよび表示方法によるサービスをビジネスとして成立させることができる。
【０００８】
また、本発明に係る表示システムは、上記の表示システムにおいて、前記制御装置は、前記支払に対する特典としての特典情報を前記支払情報の送信元の前記視聴者用端末に送信する。
【０００９】
この表示システムでは、支払に対する特典としての特典情報を支払情報の発信元の視聴者用端末に送信する。このため、例えば、支援金等を支払った視聴者だけに応募者に関する特別な情報を入手させることができるため、視聴者に対して応募者を支援する意欲を一層高めさせることができる。
【００１０】
また、本発明に係る表示システムは、上記の表示システムにおいて、前記制御装置は、前記視聴者用端末から送信された視聴者に関する視聴者情報を前記応募コンテンツの送信元の前記応募用端末に送信する。
【００１１】
この表示システムでは、視聴者用端末から送信された視聴者に関する視聴者情報を応募コンテンツの送信元の応募用端末に送信する。このため、応募者は、視聴者に関する情報を閲覧することで、視聴者の人数、性別および年代層などを容易に把握することができる結果、以後の活動の方向性を検討する有力な手がかりを掴むことができる。
【００１２】
また、本発明に係る表示システムは、上記の表示システムにおいて、前記制御装置は、広告用コンテンツを前記表示装置に表示させる。
【００１３】
この表示システムでは、広告用コンテンツを表示装置に表示させる。このため、例えば、各種の応募コンテンツの合間に広告用コンテンツを表示させることで、広告用コンテンツだけを表示する構成と比較して、視聴者に広告コンテンツを注目させることができるため、広告効果を十分に高めることができる。したがって、テレビジョン放送、ラジオ放送およびインターネットとは別個独立した独自の広告用メディアを構築することができる。
【発明を実施するための最良の形態】
【００１４】
以下、本発明に係る表示システムおよび表示方法の最良の形態について、添付図面を参照して説明する。図１に示す表示システム１は、本発明に係る表示システムの一例であって、複数の表示装置１１，１１・・、複数の応募用端末１２，１２・・、複数の携帯電話１３，１３・・、無線基地局１４、複数の広告用端末１５，１５・・、制御装置１６およびネットワーク１７を備えて構成され、本発明に係る表示方法に従って各種コンテンツの表示や各種情報の提供を行う。なお、本発明における「コンテンツ」とは、画像や画像データ、および音声や音声データなどを包括する概念を意味するものとする。
【００１５】
表示装置１１は、図２に示すように、例えば、繁華街などの通りに面した場所のような、表示装置１１に表示される画像や表示装置１１から出力される音声を公衆が視聴可能な場所（本発明における所定の設置場所）に設置されている。また、表示装置１１は、図１に示すように、ネットワーク１７を介して制御装置１６に通信可能に接続されて、各種のコンテンツＣを制御装置１６から受信する。この場合、表示装置１１は、一例として、大形のリアプロジェクションディスプレイであって、図外のプロジェクタ、スクリーンパネル２１および音声出力部２２を備えている。プロジェクタは、一例として、光源と、デジタルマイクロミラーデバイスや液晶ライトバルブで構成された光変調素子と、投射レンズとを備えて構成され、制御装置１６の制御に従い、コンテンツＣに含まれている画像データＤｇに基づく投射光をスクリーンパネル２１に投射する。スクリーンパネル２１は、例えば、透過型のスクリーンパネルであつて、プロジェクタから投射された投射光を受光して画像を表示する。音声出力部２２は、制御装置１６の制御に従い、コンテンツＣに含まれている音声データＤｓに基づく音声を出力する。
【００１６】
応募用端末１２は、表示装置１１に表示させるコンテンツＣの公募に対する応募者の登録や、応募者が応募（出品）するコンテンツＣを制御装置１６に送信する際に用いられるパーソナルコンピュータであって、ネットワーク１７を介して制御装置１６と通信可能に接続されている。この場合、応募用端末１２は、制御装置１６との間で、氏名や年齢等の応募者に関するデータ、およびコンテンツＣ、並びに後述する連絡メール（連絡情報）Ｍ、閲覧データＤｃおよび特典データ（特典情報）Ｄｐなどを送受信する。携帯電話１３は、本発明における視聴者用端末の一例であって、無線基地局１４との間で無線通信可能に構成されている。この場合、携帯電話１３は、後述する支払データ（支払情報）Ｄｖ、支援者データ（視聴者情報）Ｄｕ、特典データＤｐおよび連絡メールＭなどの送受信を無線基地局１４との間で行う。
【００１７】
無線基地局１４は、表示システム１の利用可能エリア内に設置されると共に、携帯電話１３との間で無線通信可能に構成されている。この場合、無線基地局１４は、支払データＤｖ、支援者データＤｕ、特典データＤｐおよび連絡メールＭなどの送受信を携帯電話１３との間で行う。また、無線基地局１４は、ネットワーク１７を介して制御装置１６と通信可能に接続されて、制御装置１６との間で支払データＤｖ、支援者データＤｕ、特典データＤｐおよび連絡メールＭなどの送受信を行う。広告用端末１５は、広告主が表示装置１１に表示させる広告用のコンテンツＣを制御装置１６に送信する際に用いられるパーソナルコンピュータであって、ネットワーク１７を介して制御装置１６と通信可能に接続されている。
【００１８】
制御装置１６は、表示装置１１、応募用端末１２、無線基地局１４および広告用端末１５とネットワーク１７を介して通信可能に接続されて、これらの装置や端末との間で、コンテンツＣ、各データＤｖ，Ｄｕ，Ｄｃ，Ｄｐおよび連絡メールＭなどの送受信を行う。また、制御装置１６は、コンテンツＣや各データＤｖ，Ｄｕ，Ｄｃ，Ｄｐを記憶する記憶部（図示せず）を備えている。また、制御装置１６は、コンテンツＣの内容が公衆の前で表示するのに適切であるか否か（または不適切であるか否か）をチェックするチェック機能を有している。ネットワーク１７は、ＷＡＮ（wide area network ）やＬＡＮ（local area network）で構成されて、表示装置１１、応募用端末１２、無線基地局１４、広告用端末１５および制御装置１６を通信可能に接続する。
【００１９】
次に、表示システム１の全体的な動作について、図３，４に示すフローチャートを参照して説明する。なお図３，４では、処理の流れを実線で示し、コンテンツＣやデータの流れを破線で示すものとする。この表示システム１では、例えば、数多くのアマチュアミュージシャンやアマチュア芸術家が抱いている自らのパフォーマンスや作品などを公衆に認知させたいという希望に対応することが可能となっている。具体的には、この表示システム１では、例えば、ＷＥＢページ（ホームページ）において、表示装置１１に表示するコンテンツＣの公募が行われる（図３のステップ５１）。この場合、例えば、自らのパフォーマンス（一例として、音楽演奏）を撮影したコンテンツＣ（以下、このコンテンツＣを「応募コンテンツＣ１」ともいう）の応募を希望する応募者は、応募用端末１２を用いて応募コンテンツＣ１を制御装置１６に送信する。この際には、例えば、ＷＥＢブラウザ等のソフトウェアを用いて、ネットワーク１７を介して応募用端末１２を制御装置１６に接続する（ステップ５２）。次に、応募用端末１２のディスプレイに表示されたＷＥＢページに記載された要領に従って応募（登録）の手続きを行い、氏名、年齢およびメールアドレス等の応募者に関するデータや、応募コンテンツＣ１の送信操作を行う（ステップ５３）。この場合、応募に対して所定の手数料や入会料等を設定することもでき、この際には、これらの料金の決済方法（支払方法）としては、現金を振り込む振込決済や、電子マネー決済、クレッジットカード決済およびネット銀行決済等の各種の電子的決済を採用することができる。
【００２０】
一方、制御装置１６は、ネットワーク１７を介して送信された応募コンテンツＣ１等を受信し（ステップ５４）、その応募コンテンツＣ１等を記憶部に書き込む（記憶させる）。この場合、制御装置１６は、例えば、予め規定されたルールに従って応募コンテンツＣ１の内容が公衆の前で表示するのに適切であるか否かのチェックを実行して（ステップ５５）、不適切であるときには、その応募コンテンツＣ１を消去すると共に、その旨を示す連絡メールＭを、ネットワーク１７を介して応募者の応募用端末１２に送信する。次に、制御装置１６は、応募コンテンツＣ１が送信される度に、応募コンテンツＣ１のチェックおよび記憶部への応募コンテンツＣ１の書き込みを実行する。次いで、制御装置１６は、予め設定されたタイムスケジュールに従い、記憶部に記憶されている応募コンテンツＣ１を読み出して、ネットワーク１７を介して表示装置１１に送信する（ステップ５６）。続いて、表示装置１１が、制御装置１６の制御に従い、制御装置１６から送信された応募コンテンツＣ１を受信して（ステップ５７）、プロジェクタに出力する。次に、プロジェクタが応募コンテンツＣ１に含まれている画像データＤｇに基づく投射光をスクリーンパネル２１に投射することにより、図２に示すように、応募コンテンツＣ１の画像Ｇがスクリーンパネル２１に表示される（ステップ５８）。また、応募コンテンツＣ１に含まれている音声データＤｓに基づく音声が音声出力部２２から出力される。この場合、アーティスト名、曲名および連絡先等を示す紹介文や応援を求めるアピール文などを画像Ｇと共に表示することもできる。これにより、図２に示すように、例えば、繁華街などの人通りの多い道に面した場所に表示装置１１を設置することで、表示装置１１に表示した応募コンテンツＣ１を公衆に確実に認知させることが可能となる。したがって、公衆は無料で応募コンテンツＣ１を視聴することができ、応募者は自ら集客することなく発表の場を得ることができる。
【００２１】
一方、この表示システム１では、表示装置１１に表示された応募コンテンツＣ１の応募者に対して金銭的な支援（支援金の支払）を行うことが可能となっている。具体的には、表示装置１１に表示された応募コンテンツＣ１を視聴した視聴者が、その応募コンテンツＣ１（音楽演奏）やアーティストに好感をいだいて、支援金の支払を希望するときには（以下、この支援金の支払者を「支援者」ともいう）、携帯電話１３を用いて制御装置１６にその旨を示すデータを送信する。具体的には、例えば、ＷＥＢブラウザ等のソフトウェアを用いて、無線基地局１４およびネットワーク１７を介して携帯電話１３を制御装置１６に接続する（ステップ５９）。次に、ディスプレイに支援金支払用のＷＥＢページを表示させ、そこに記載された要領に従い、例えば、氏名、性別、年齢およびメールアドレス等のデータや、支援金の金額および支払方法等のデータを入力した後に、送信操作を行う。この場合、支援金の決済方法としては、上記した振込決済や電子的決済を採用することができる。次いで、携帯電話１３が、入力されたデータに基づいて支援者に関する支援者データＤｕおよび支援金の支払に関する支払データＤｖを生成して制御装置１６に送信する（ステップ６０）。
【００２２】
続いて、無線基地局１４が、携帯電話１３から送信された支援者データＤｕおよび支払データＤｖを制御装置１６に転送する。次に、制御装置１６は、ネットワーク１７を介して無線基地局１４から転送された支援者データＤｕおよび支払データＤｖを受信して（ステップ６１）、応募者毎（応募用端末１２毎）に整理（分類）しつつ記憶部に書き込む（ステップ６２）。次いで、制御装置１６は、支払い対象の応募コンテンツＣ１の応募者に対して支払う支援金のデータを支払データＤｖの中から抽出すると共に、応募者に対して提供可能な支援者に関するデータ（例えば氏名や住所等の個人データを除くデータ）を支援者データＤｕの中から抽出して閲覧データＤｃを生成する（ステップ６３）。この場合、支援金の支払処理に関する処理手数料を設定することもでき、この際には、制御装置１６は、支援者から支払われる金額からその処理手数料分を差し引く差引処理を実行する。この結果、応募者は、自ら制作したコンテンツの価値に応じた対価を得ることができる。次に、制御装置１６は、閲覧データＤｃを記憶部に書き込む。これにより、応募者に対して支払われる支援金の情報や、支援者に関する情報が応募者から閲覧可能な状態となる。次いで、制御装置１６は、ネットワーク１７を介して、応募者の応募用端末１２に支援金の発生を示す連絡メールＭを送信する（ステップ６４）。続いて、応募用端末１２が連絡メールＭを受信することにより（ステップ６５）、支援金の発生が応募者に報知される。この場合、応募者は、応募用端末１２を用いて制御装置１６に接続することで、支援金の情報や支援者に関する情報を含む閲覧データＤｃを受信して閲覧することができる（ステップ６６）。ここで、応募者は、これらの情報を閲覧することで、支援者の人数、性別および年代層などを把握することが可能となる。このため、応募者は、以後の活動の方向性を検討する有力な手がかりを掴むことが可能となる。
【００２３】
次に、例えば、支援者に対する特典（返礼）として、応募者が、ライブ写真やライブスケジュールの情報、シークレットクラブへの優待情報、および握手会の情報などの各種情報（本発明における特典情報）の提供を希望するときには、その内容を示す特典データＤｐを応募用端末１２を用いて制御装置１６に送信する。具体的には、ネットワーク１７を介して応募用端末１２を制御装置１６に接続して特典データ送信用のＷＥＢページを表示させ、そこに記載された要領に従って必要事項を入力した後に、送信操作を行う。次いで、応募用端末１２が、入力されたデータに基づいて特典データＤｐを生成して制御装置１６に送信する（ステップ６７）。続いて、制御装置１６は、ネットワーク１７を介して送信された特典データＤｐを受信して記憶部に書き込むと共に、上記した支払データＤｖの送信元の携帯電話１３つまり支援者の携帯電話１３にネットワーク１７および無線基地局１４を介して特典データＤｐを送信し（ステップ６８）、携帯電話１３が特典データＤｐを受信する（ステップ６９）。これにより、支援者は、応募者つまり支援（応援）しているミュージシャンに関する特別な情報を入手することが可能となる。この場合、このような特別な情報を入手することで、支援者は、応募者に対する支援意欲を一層高めることとなる。なお、特典データＤｐの送信に代えて、例えば、特典データＤｐのダウンロードが可能である旨を示す連絡メールＭを支援者に送信し、支援者が携帯電話１３を用いて制御装置１６に接続して特典データＤｐをダウンロードする構成を採用することもできる。
【００２４】
一方、この表示システム１では、表示装置１１に広告用のコンテンツＣ（以下、このコンテンツＣを「広告コンテンツＣ２」ともいう）を表示することが可能となっている。具体的には、この表示システム１では、例えば、ＷＥＢページにおいて、表示装置１１に表示する広告コンテンツＣ２の公募が行われる（図４のステップ７０）。この場合、表示装置１１を利用した広告コンテンツＣ２の表示を希望する商工業者は、例えば、ＷＥＢブラウザ等のソフトウェアを用いて、ネットワーク１７を介して広告用端末１５を制御装置１６に接続して、広告コンテンツＣ２や応募コンテンツＣ１を表示するタイムスケジュール、および応募者や支援者に関するデータ等の開示依頼を制御装置１６に送信する（ステップ７１）。次に、制御装置１６が開示依頼を受信して（ステップ７２）、応募者や支援者に関するデータを抽出して閲覧データＤｃを生成して（ステップ７３）、タイムスケジュールおよび閲覧データＤｃを開示依頼のあった広告用端末１５に送信する（ステップ７４）。次いで、広告用端末１５がタイムスケジュールおよび閲覧データＤｃを受信する（ステップ７５）。この場合、依頼主は、タイムスケジュールおよび閲覧データＤｃの内容を閲覧することで、視聴者の動向を掴むことができるため、広告コンテンツＣ２を表示するのに効果のある時間帯を容易に検討することができる。
【００２５】
続いて、依頼主が検討の結果、広告コンテンツＣ２の表示を決定したときには、ＷＥＢブラウザ等のソフトウェアを用いて、ネットワーク１７を介して広告用端末１５を制御装置１６に接続し、ディスプレイに申込用のＷＥＢページを表示させて、そこに記載された要領に従って申込の手続きを行った後に、広告コンテンツＣ２の送信操作を行う（ステップ７６）。この場合、表示装置１１の利用料金の決済方法としては、上記した振込決済や電子的決済を採用することができる。
【００２６】
次に、制御装置１６は、ネットワーク１７を介して送信された広告コンテンツＣ２を受信して（ステップ７７）、記憶部に書き込む。この場合、制御装置１６は、上記した応募コンテンツＣ１のチェックと同様にして、広告コンテンツＣ２の内容が公衆の前で表示するのに適切であるか否かのチェックを実行して（ステップ７８）、不適切のときには、その広告コンテンツＣ２を消去すると共に、その旨を示す連絡メールＭを、ネットワーク１７を介して広告主（依頼主）の広告用端末１５に送信する。次いで、制御装置１６は、応募コンテンツＣ１と広告コンテンツＣ２とをバランスよく表示するためのタイムスケジュールを編成する（ステップ７９）。続いて、制御装置１６は、その編成したタイムスケジュールに従って応募コンテンツＣ１および広告コンテンツＣ２を記憶部から順次読み出して、ネットワーク１７を介して表示装置１１に送信する（ステップ８０）。次いで、表示装置１１が、制御装置１６の制御に従い、制御装置１６から送信された応募コンテンツＣ１および広告コンテンツＣ２を受信してプロジェクタに順次出力する。続いて、プロジェクタが応募コンテンツＣ１および広告コンテンツＣ２に含まれている画像データＤｇに基づく投射光をスクリーンパネル２１に投射することにより、応募コンテンツＣ１の画像Ｇおよび広告コンテンツＣ２の画像Ｇがタイムスケジュールに従ってスクリーンパネル２１に表示される。また、応募コンテンツＣ１および広告コンテンツＣ２に含まれている音声データＤｓに基づく音声が音声出力部２２から出力される。この場合、各種の応募コンテンツＣ１の合間に広告コンテンツＣ２が表示されるため、広告コンテンツＣ２だけを表示する構成と比較して、視聴者に広告コンテンツＣ２を注目させることができるため、広告効果を十分に高めることが可能となる。
【００２７】
このように、この表示システム１および表示方法によれば、公募に対する応募コンテンツＣ１が応募用端末１２から送信されたときにその応募コンテンツＣ１を表示装置１１に表示させることにより、自ら制作した応募コンテンツＣ１を容易に公衆の目に触れさせることができる。このため、例えば、自らのパフォーマンスや作品などを公衆に認知させたいと希望している数多くのアマチュアミュージシャンやアマチュア芸術家などの需要に対応することができる。この場合、応募者に対して公衆から支援金等を募る場を提供できるため、これらの者が自ら積極的に参加する参加型システムを構築することができる。また、広告コンテンツＣ２だけを表示する構成とは異なり、視聴者は、路上ライブや路上パフォーマンスを見る感覚で応募コンテンツＣ１を十分に楽しむことができる。したがって、コンテンツ作成費用を低減しつつ、集客効果を十分に高めることができる。また、応募コンテンツＣ１の応募者への支払データＤｖが携帯電話１３から送信されたときに支援金の発生を示す連絡メールＭを応募コンテンツＣ１の発信元である応募用端末１２に送信することにより、支援者は、表示システム１を用いて応募者を容易に支援することができ、応募者は、その支援によって活動意欲を十分に向上することができる。このため、単に情報を提供するだけのシステムや方法とは異なり、利用者に対して情報以外の価値を付加することができる。したがって、この表示システム１および表示方法によれば、利用者の利用率を十分に向上させることができる。この結果、この表示システム１および表示方法によるサービスをビジネスとして成立させることができる。
【００２８】
また、支援金の支払に対する特典としての特典データＤｐを支払データＤｖの発信元である支援者の携帯電話１３に送信することにより、支援金を支払った支援者だけに応募者に関する特別な情報を入手させることができるため、支援者に対して応募者を支援する意欲を一層高めさせることができる。
【００２９】
また、支援者データＤｕが携帯電話１３から送信されたときに、応募コンテンツＣ１の発信元である応募用端末１２に支援者に関するデータを送信することにより、応募者は、支援者の情報を閲覧することで、支援者の人数、性別および年代層などを容易に把握することができるため、以後の活動の方向性を検討する有力な手がかりを掴むことができる。
【００３０】
また、各種の応募コンテンツＣ１の合間に広告コンテンツＣ２を表示させることにより、広告コンテンツＣ２だけを表示する構成と比較して、視聴者に広告コンテンツＣ２を注目させることができるため、広告効果を十分に高めることができる。したがって、テレビジョン放送、ラジオ放送およびインターネットとは別個独立した独自の広告用メディアを構築することができる。
【００３１】
なお、本発明は、上記の構成に限定されない。例えば、表示装置１１として、リアプロジェクションディスプレイを用いた例について上記したが、液晶ディスプレイ、プラズマディスプレイ、およびフロントプロジェクション型のプロジェクタとスクリーンとを備えたプロジェクタ装置などを表示装置１１として用いることもできる。また、応募用端末１２（または広告用端末１５）としてパーソナルコンピュータを用いる例について上記したが、携帯電話やモバイルコンピュータ等の携帯端末を応募用端末（または広告用端末）として用いることもできる。また、携帯電話１３に代えて、パーソナルコンピュータを視聴者用端末として用いることもできる。また、携帯電話１３を用いて支援金の支払いを行う例について上記したが、携帯電話１３を用いて応募コンテンツＣ１に対する評価や、表示装置１１に表示する応募コンテンツＣ１のリクエストなどを行うこともできる。また、コンテンツＣについても、上記した音楽演奏などに限定されず、落語や漫才の上演の画像など、任意の内容を含めることができる。
【図面の簡単な説明】
【００３２】
【図１】表示システム１の構成を示す構成図である。
【図２】表示装置１１が設置された設置場所の外観図である。
【図３】表示装置１１、応募用端末１２、携帯電話１３および制御装置１６によって実行される処理のフローチャートである。
【図４】広告用端末１５および制御装置１６によって実行される処理のフローチャートである。
【符号の説明】
【００３３】
１  表示システム、１１  表示装置、１２  応募用端末、１３  携帯電話、１６  制御装置、１７  ネットワーク、Ｃ  コンテンツ、Ｃ１  応募コンテンツ、Ｃ２  広告コンテンツ、Ｄｐ  特典データ、Ｄｕ  支援者データ、Ｄｖ  支払データ、Ｍ  連絡メール
【図１】
2006178576.tif 000003
【図２】
2006178576.tif 000004
【図３】
2006178576.tif 000005
【図４】
2006178576.tif 000006